(57)【要約】【課題】映像表示パネルを湾曲させて利用した映像表示装置の視認性を高める。【解決手段】湾曲可能な映像表示パネル１１と、映像表示パネル１１における各部の局所的な曲げ具合を検出する曲げ具合センサ１２と、曲げ具合センサ１２で得られた結果に応じて映像表示パネル１１における映像表示範囲を変更するように制御する映像表示制御部１３とを設ける。【選択図】図１
2015075688.tif 000002
【特許請求の範囲】
【請求項１】
湾曲可能な映像表示パネルと、
前記映像表示パネルにおける各部の局所的な曲げ具合を検出する曲げ具合センサと、
前記曲げ具合センサで得られた結果に応じて前記映像表示パネルにおける映像表示範囲を変更するように制御する映像表示制御部とを備えた映像表示装置。
【請求項２】
請求項１記載の映像表示装置において、
前記映像表示制御部は、前記映像表示パネルにて曲げ具合が所定値よりも小さい部分に映像が表示されるように制御する映像表示装置。
【請求項３】
請求項１記載の映像表示装置において、
前記映像表示制御部は、前記映像表示パネルにて曲げ具合が他の部分よりも小さい部分に映像が表示されるように制御する映像表示装置。
【請求項４】
請求項１記載の映像表示装置において、
前記映像表示制御部は、前記映像表示パネルにて曲げ具合が最小の位置を中心にした所定の長さの部分に映像が表示されるように制御する映像表示装置。
【請求項５】
請求項１記載の映像表示装置において、
鉛直方向を検出する鉛直方向センサを更に備え、
前記映像表示制御部は、前記映像表示パネルにて面の向きが鉛直方向かつ上向きに近い部分に映像が表示されるように制御する映像表示装置。
【請求項６】
請求項１記載の映像表示装置において、
前記映像表示パネルにて曲げ具合が最大の位置の近傍に配置された入力操作表示を更に備えた映像表示装置。
【請求項７】
請求項５記載の映像表示装置において、
前記映像表示制御部は、前記鉛直方向センサの出力変化から当該映像表示装置の動き量を検知し、当該映像表示装置の動き量が所定の閾値よりも小さい場合に、前記映像表示パネルに表示する映像内容を更新するように制御する映像表示装置。
【請求項８】
請求項５記載の映像表示装置において、
前記映像表示制御部は、前記鉛直方向センサの出力変化から当該映像表示装置の動き量を検知し、当該映像表示装置の動き量が所定の閾値よりも大きい場合に、前記映像表示パネルに映像を表示しないように制御する映像表示装置。
【請求項９】
請求項５記載の映像表示装置において、
ユーザが存在する方向を検出するユーザ方向センサと、
前記映像表示パネルの視野角を設定する視野角設定器とを更に備え、
前記映像表示制御部は、前記鉛直方向センサ及び前記ユーザ方向センサで得られた結果をもとに決定した前記映像表示パネルの視野角を前記視野角設定器に渡す映像表示装置。
【発明の詳細な説明】
【技術分野】
【０００１】
本開示は、映像表示パネルを湾曲させて利用した映像表示装置に関するものである。
【背景技術】
【０００２】
特許文献１の映像表示装置では、ユーザの手首に巻かれた環状の映像表示パネルにて、重力加速度方向とは逆向きの位置に映像表示を行う。
【先行技術文献】
【特許文献】
【０００３】
【特許文献１】特開２００６−１７１４１２号公報
【発明の概要】
【発明が解決しようとする課題】
【０００４】
本開示は、映像表示パネルを湾曲させて利用した映像表示装置の視認性を高める技術を提供する。
【課題を解決するための手段】
【０００５】
本開示の一態様では、湾曲可能な映像表示パネルと、映像表示パネルにおける各部の局所的な曲げ具合を検出する曲げ具合センサと、曲げ具合センサで得られた結果に応じて映像表示パネルにおける映像表示範囲を変更するように制御する映像表示制御部とを備えた映像表示装置の構成をとる。
【発明の効果】
【０００６】
本開示によれば、映像表示パネルを湾曲させて利用した映像表示装置における映像表示をユーザにとって見やすい位置にすることができる。
【図面の簡単な説明】
【０００７】
【図１】実施の形態１に係る映像表示装置の全体構成を示すブロック図である。
【図２】図１の映像表示装置の外観を示す斜視図である。
【図３】図２の映像表示装置の断面図であって、（ａ）は映像表示パネルの断面が円形をなす場合を、（ｂ）は同断面が楕円形をなす場合をそれぞれ表している。
【図４】図２の映像表示装置の使用状態を示した斜視図である。
【図５】（ａ）は図４の使用状態における映像表示装置の断面図、（ｂ）は同使用状態にて検出された曲がり率の分布を示す図である。
【図６】図２の映像表示装置の種々の変形例を示す断面図であって、（ａ）は映像表示パネルの断面がＣ形をなす場合を、（ｂ）は同断面がＪ形をなす場合を、（ｃ）は同断面が凹形をなす場合をそれぞれ表している。
【図７】実施の形態２に係る映像表示装置の全体構成を示すブロック図である。
【図８】図７の映像表示装置にて映像表示パネルの断面が直線をなす場合の図であって、（ａ）は映像表示装置の断面図、（ｂ）は同状態にて検出された曲がり率の分布を示す図、（ｃ）は同状態にて鉛直方向をベースにして算出された面の向きの分布を示す図である。
【図９】図７の映像表示装置にて映像表示パネルの断面が楕円形をなす場合の図であって、（ａ）は映像表示装置の断面図、（ｂ）は同状態にて検出された曲がり率の分布を示す図、（ｃ）は同状態にて鉛直方向をベースにして算出された面の向きの分布を示す図である。
【図１０】図９（ａ）の映像表示装置を傾けた場合の図であって、（ａ）は映像表示装置の断面図、（ｂ）は同状態にて検出された曲がり率の分布を示す図、（ｃ）は同状態にて鉛直方向をベースにして算出された面の向きの分布を示す図である。
【図１１】実施の形態３に係る映像表示装置の図であって、（ａ）は同装置の使用状態を示した斜視図、（ｂ）は同装置の断面図である。
【図１２】実施の形態４に係る映像表示装置にて検出した動き量Ｖをもとにユーザ状態を判定する手順を示すフローチャート図である。
【図１３】実施の形態４に係る映像表示装置にて検出した動き量Ｖの変化の例を示すタイムチャート図である。
【図１４】実施の形態４に係る映像表示装置にて検出した動き量Ｖの変化の他の例を示すタイムチャート図である。
【図１５】実施の形態５に係る映像表示装置の全体構成を示すブロック図である。
【図１６】ユーザの視線が水平方向に向いている場合の図１５の映像表示装置の側面図であって、（ａ）は断面が楕円形をなす映像表示パネルの平坦部が真上向きの場合を、（ｂ）は同平坦部が斜め上向きの場合を、（ｃ）は同平坦部が真横向きの場合をそれぞれ表している。
【図１７】ユーザの視線が斜め下向きである場合の図１５の映像表示装置の側面図であって、（ａ）は断面が楕円形をなす映像表示パネルの平坦部が真上向きの場合を、（ｂ）は同平坦部が斜め上向きの場合を、（ｃ）は同平坦部が真横向きの場合をそれぞれ表している。
【発明を実施するための形態】
【０００８】
本願発明者は、特許文献１の映像表示装置における次のような課題を見出した。すなわち、映像表示装置を装着したユーザの身体の形、向き、動き等を考慮したものにはなっていないという課題である。例えば、腕時計を見る場合、腕時計を手首に装着したユーザにとって最も見やすい位置は、必ずしも重力加速度方向とは逆向きの位置ではない。
【０００９】
本開示に係る第１形態は、湾曲可能な映像表示パネルと、映像表示パネルにおける各部の局所的な曲げ具合を検出する曲げ具合センサと、曲げ具合センサで得られた結果に応じて映像表示パネルにおける映像表示範囲を変更するように制御する映像表示制御部とを備える。
【００１０】
この形態によると、例えば、映像表示パネルを平板状に伸ばした状態における映像表示範囲と、ユーザの手首の形にフィットするように映像表示パネルを湾曲させた状態における映像表示範囲とを違えることができる。
【００１１】
本開示に係る第２形態では、第１形態において、映像表示制御部は、映像表示パネルにて曲げ具合が所定値よりも小さい部分に映像が表示されるように制御する。
【００１２】
本開示に係る第３形態では、第１形態において、映像表示制御部は、映像表示パネルにて曲げ具合が他の部分よりも小さい部分に映像が表示されるように制御する。
【００１３】
本開示に係る第４形態では、第１形態において、映像表示制御部は、映像表示パネルにて曲げ具合が最小の位置を中心にした所定の長さの部分に映像が表示されるように制御する。
【００１４】
第２〜第４の形態によると、映像表示パネルの平坦部に映像が表示される。
【００１５】
本開示に係る第５形態では、第１形態において、鉛直方向を検出する鉛直方向センサを更に備え、映像表示制御部は、映像表示パネルにて面の向きが鉛直方向かつ上向きに近い部分に映像が表示されるように制御する。
【００１６】
この形態によると、ユーザが視認しにくい下向き部分の映像表示が回避される。
【００１７】
本開示に係る第６形態は、第１形態において、映像表示パネルにて曲げ具合が最大の位置の近傍に配置された入力操作表示を更に備える。
【００１８】
この形態によると、映像表示パネルにて映像表示の邪魔にならない部分に入力操作表示が配置される。
【００１９】
本開示に係る第７形態では、第５形態において、映像表示制御部は、鉛直方向センサの出力変化から映像表示装置の動き量を検知し、映像表示装置の動き量が所定の閾値よりも小さい場合に、映像表示パネルに表示する映像内容を更新するように制御する。
【００２０】
この形態によると、映像表示装置の動き量が小さい場合、ひいてはユーザの活動度合いが小さい場合に、ユーザに映像内容を視認させる。
【００２１】
本開示に係る第８形態では、第５形態において、映像表示制御部は、鉛直方向センサの出力変化から映像表示装置の動き量を検知し、映像表示装置の動き量が所定の閾値よりも大きい場合に、映像表示パネルに映像を表示しないように制御する。
【００２２】
この形態によると、映像表示装置の動き量が大きい場合、ひいてはユーザの活動度合いが大きい場合に、無駄な映像表示をなくす。
【００２３】
本開示に係る第９形態では、第５形態において、ユーザが存在する方向を検出するユーザ方向センサと、映像表示パネルの視野角を設定する視野角設定器とを更に備え、映像表示制御部は、鉛直方向センサ及びユーザ方向センサで得られた結果をもとに決定した映像表示パネルの視野角を視野角設定器に渡す。
【００２４】
この形態によると、映像表示パネルの視野角設定により、装着したユーザのみが見やすい映像表示装置が実現する。
【００２５】
以下、本開示の実施の形態について、図面を参照しながら説明する。
【００２６】
（実施の形態１）
図１は、実施の形態１に係る映像表示装置の全体構成を示すブロック図である。図１の映像表示装置は、湾曲可能な映像表示パネル１１を備え、かつ曲げ具合センサ１２と、映像表示制御部１３と、タッチセンサ１４と、センサ制御部１５とを更に備える。
【００２７】
映像表示パネル１１は、映像表示する部分が柔軟に変形可能なディスプレイ、いわゆるフレキシブルディスプレイであって、例えば、プラスチック基板を利用した液晶ディスプレイ又は有機ＥＬディスプレイ、電気泳動インクを用いた電子ペーパーである。
【００２８】
曲げ具合センサ１２は、映像表示パネル１１における各部の局所的な曲げ具合を検出するセンサである。曲げ具合センサ１２の例としては、曲がると抵抗値が変化するセンサを利用することで実現できる。抵抗値と曲げ具合（曲がり率）との関係を予め情報として持つことで、曲げ具合センサ１２が配置された位置の曲げ具合を知ることができる。曲げ具合センサ１２で検出された曲げ具合情報は、その位置情報と共に映像表示制御部１３に渡される。
【００２９】
タッチセンサ１４は、映像表示装置の操作をタッチ操作によって行うためのセンサである。タッチパネルには曲がる素材で作られたものも多くあり、実現上の問題はない。
【００３０】
センサ制御部１５は、曲げ具合センサ１２で得られた結果と、タッチセンサ１４で得られた結果とを映像表示制御部１３に渡す。
【００３１】
映像表示制御部１３は、曲げ具合センサ１２で得られた結果に応じて映像表示パネル１１における映像表示範囲を変更するように制御する。例えば、映像表示制御部１３は、映像表示パネル１１にて曲げ具合が最小の位置を中心にした所定の長さの部分に映像が表示されるように制御する。
【００３２】
図２は、図１の映像表示装置の外観を示す斜視図である。ここでは、映像表示パネル１１が環状に形成されている。
【００３３】
図３（ａ）及び図３（ｂ）は図２の映像表示装置の断面図であって、図３（ａ）は映像表示パネルの断面が円形をなす場合を、図３（ｂ）は同断面が楕円形をなす場合をそれぞれ表している。この映像表示装置では、環状の筐体の外周全てが映像表示パネル１１で覆われている。同時に、曲げ具合を検出する曲げ具合センサ１２も、環状の筐体の外周に沿って複数並べられて配置している。曲げ具合センサ１２は、映像表示装置上における位置情報と結びつけられており、それぞれの曲げ具合センサ１２は、設置された位置の曲げ具合を検出し、曲げ具合の数値と位置情報とをセンサ制御部１５に送る。センサ制御部１５で得られた曲がり率の情報は、映像表示制御部１３に送られる。映像表示制御部１３では、映像表示装置の各部から曲がり率の情報を収集し、映像表示パネル１１のどの部分に映像表示するかを決定する。
【００３４】
図４は、図２の映像表示装置の使用状態を示した斜視図である。ここでは、環状に形成された映像表示パネル１１を持つ映像表示装置が、ユーザの手首に装着されている。
【００３５】
図５（ａ）は図４の使用状態における映像表示装置の断面図、図５（ｂ）は同使用状態にて検出された曲がり率の分布を示す図である。両図にて、Ａ１、Ａ２、Ａ３及びＡ４はそれぞれ映像表示装置の周上の位置を表している。
【００３６】
映像は、平坦な部分に表示する方が見やすいことから、図５（ｂ）における位置Ａ１又は位置Ａ３の近辺に表示することが望ましい。そこで、映像表示制御部１３は、例えば、最も平坦な位置Ａ３を中心にした外周の１／２の長さの部分に映像を表示することを決定する。映像表示パネル１１は、映像表示制御部１３で決定された範囲に映像を表示する。
【００３７】
かかる構成によれば、映像表示装置の形状を当該装置自身が検知することができ、平坦な部分に映像表示することができる。よって、ユーザのより見やすい位置に映像表示することができるようになる。
【００３８】
映像表示制御部１３は、映像表示パネル１１にて曲げ具合が所定値よりも小さい部分に映像が表示されるように映像表示範囲を決定してもよい。また、映像表示制御部１３は、映像表示パネル１１にて曲げ具合が他の部分よりも小さい部分に映像が表示されるように制御してもよい。
【００３９】
図６（ａ）、図６（ｂ）及び図６（ｃ）は、図２の映像表示装置の種々の変形例を示す断面図であって、図６（ａ）は映像表示パネルの断面がＣ形をなす場合を、図６（ｂ）は同断面がＪ形をなす場合を、図６（ｃ）は同断面が凹形をなす場合をそれぞれ表している。図６（ａ）のように一部が開いたリング形状（Ｃ形）や、図６（ｂ）のように一部が平面をなすリング形状（Ｊ形）や、図６（ｃ）のように緩やかに曲げられた形状（凹形）でも構わない。
【００４０】
また、曲げ具合センサ１２として複数のセンサ群からなる構成を例として示したが、位置における曲げ具合を検出できれば単一のセンサを用いてもよい。
【００４１】
また、身体に取り付ける映像表示装置の例として、腕時計のように手首に装着することを例示したが、頭、指、足首、胴体等においても同様に行うことができる。また、身体に取り付けない場合も同じように動作させることができる。
【００４２】
更に、データは、内部メモリに保存されたものを表示するようにしてもよいが、外部から無線信号を受信するように構成したり、外部入力端子を通じて受け取るような構成にしてもよい。
【００４３】
（実施の形態２）
図７は、実施の形態２に係る映像表示装置の全体構成を示すブロック図である。図７において、図１と同じ構成要素については同じ符号を用い、説明を省略する。図７の構成では、図１の構成に鉛直方向センサ１６が追加されている。鉛直方向センサ１６は、重力加速度方向を検出するセンサ等の結果をもとに鉛直方向を検出し、映像表示制御部１３に結果を渡す。映像表示制御部１３では、曲げ具合センサ１２の結果と鉛直方向センサ１６の結果とを合わせて、映像表示パネル１１の映像表示範囲を決定する。この際、映像表示パネル１１にて面の向きが鉛直方向かつ上向きに近い部分が映像表示範囲として選択される。
【００４４】
図８（ａ）、図８（ｂ）及び図８（ｃ）は、図７の映像表示装置にて映像表示パネル１１の断面が直線をなす場合の図であって、図８（ａ）は映像表示装置の断面図、図８（ｂ）は同状態にて検出された曲がり率の分布を示す図、図８（ｃ）は同状態にて鉛直方向をベースにして算出された面の向きの分布を示す図である。鉛直方向センサ１６は、図８（ａ）のように映像表示装置における位置Ａ１付近に取り付けられているものとする。映像表示パネル１１に沿って取り付けられた曲げ具合センサ１２で曲がり率を検出し、映像表示パネル１１の位置と曲がり率との関係が図８（ｂ）のような結果として得られる。また、鉛直方向センサ１６で検出された鉛直方向をベースにした各位置における面の向き（鉛直方向下向きベクトルと面の法線方向外向きベクトルとのなす角度）は、図８（ｃ）のようになる。すなわち、図８（ａ）のように映像表示パネル１１が平板状であるときには、図８（ｃ）のように映像表示パネル１１における全ての位置で面の向きが鉛直方向上向きである。
【００４５】
図９（ａ）、図９（ｂ）及び図９（ｃ）は、図７の映像表示装置にて映像表示パネル１１の断面が楕円形をなす場合の図であって、図９（ａ）は映像表示装置の断面図、図９（ｂ）は同状態にて検出された曲がり率の分布を示す図、図９（ｃ）は同状態にて鉛直方向をベースにして算出された面の向きの分布を示す図である。鉛直方向センサ１６は、図９（ａ）のように映像表示装置における位置Ａ１付近に取り付けられているものとする。図９（ａ）のように映像表示パネル１１の断面が楕円形であるときには、図９（ｃ）のように位置Ａ１では面の向きが鉛直方向下向きであり、位置Ａ３では面の向きが鉛直方向上向きである。
【００４６】
ユーザは、映像表示装置を手首に装着した場合、映像表示装置を眼の位置よりも低い位置にして見ることが多い。すなわち、ユーザにとって見やすい映像表示範囲は鉛直方向上向きの部分にあることが望ましいケースが多い。したがって、この条件と平坦な部分である条件との両方を満たす範囲に映像表示することが望ましく、図８（ｂ）では位置Ａ１から位置Ａ４までを含む全ての範囲が映像表示に適した範囲となり、図９（ｂ）では位置Ａ３付近が映像表示に適した範囲であるということになる。このような構成にすることにより、ユーザにとって見やすい映像表示が可能となる。
【００４７】
図１０（ａ）、図１０（ｂ）及び図１０（ｃ）は、図９（ａ）の映像表示装置を角度θだけ傾けた場合の図であって、図１０（ａ）は映像表示装置の断面図、図１０（ｂ）は同状態にて検出された曲がり率の分布を示す図、図１０（ｃ）は同状態にて鉛直方向をベースにして算出された面の向きの分布を示す図である。この場合でも、曲がり率の小さい位置である位置Ａ１及び位置Ａ３についてそれぞれの位置における面の向きを求め、鉛直方向上向きになる位置Ａ３を選択して、位置Ａ３付近に映像を表示する。
【００４８】
（実施の形態３）
図１１（ａ）及び図１１（ｂ）は、実施の形態３に係る映像表示装置の図であって、図１１（ａ）は同装置の使用状態を示した斜視図、図１１（ｂ）は同装置の断面図である。ここでは、映像表示パネル１１にて曲げ具合が最大の位置の近傍に入力操作表示２１が配置されている。
【００４９】
図示の例は、ユーザの手首に映像表示装置が巻き付けられている例であり、かつ曲がりの大きい部分（位置Ａ２付近）に入力操作表示２１がある様子を示している。映像表示は映像表示パネル１１における平坦部に行うことが望ましいが、入力操作部分は曲がりの大きい部分でも構わない。したがって、入力操作表示２１を映像表示パネル１１における曲がりの大きい位置（例えば、位置Ａ２や位置Ａ４付近）に集めてもよい。映像表示パネル１１において映像表示する部分と映像表示しない部分との境界部分は平坦でない部分となるが、この位置に入力操作表示２１を配置することによって、映像表示範囲を図１１（ｂ）の矢印部分（Ａ４〜Ａ３〜Ａ２〜Ｂ１）の範囲とすることができ、全体の画面サイズを広く実感できるようになるという効果が得られる。
【００５０】
（実施の形態４）
実施の形態４として、映像表示のタイミングをユーザの動きにあわせて行う例を示す。例えばモバイル機器の場合、消費電力を抑えることが求められる。そのため、ユーザが見ていないときは、映像表示を中断し、消費電力を抑える工夫を行うことが望ましい。そこで、図７中の鉛直方向センサ１６の出力変化を利用してユーザ状態を判定する技術を説明する。映像表示装置の構成は、図７と同様の構成であってよく、構成要素については同じ符号を用い、説明を省略する。
【００５１】
まず、鉛直方向センサ１６で検出した鉛直方向の時間的な変化を動き量Ｖとして定義する。すなわち、時刻Ｔａから時刻Ｔｂまでの間に鉛直方向の角度がθａからθｂへ変化したとすると、その動き量Ｖは、
Ｖ＝｜θｂ  −  θａ｜
で表される。この動き量Ｖの変化を観測することで、映像表示装置の動き、ひいてはユーザの動きを検知する。すなわち、所定の閾値よりも大きい動き量Ｖが生じたときに、ユーザ及び映像表示装置の動きが大きく、ユーザからは表示を見ることが難しいと判定するのである。
【００５２】
図１２は、実施の形態４に係る映像表示装置にて検出した動き量Ｖをもとにユーザ状態を判定する手順を示すフローチャート図である。まず、ユーザ状態の初期値を“静止”状態とする（ステップＳ１）。そして、一定時間ごとに動き量Ｖを検出し、閾値Ｖｔｈを越えているかどうかを判断し、更にその継続時間がＴｘ以上である場合、ユーザは“動作”していると認識される（ステップＳ２，Ｓ３）。また、動き量Ｖが閾値Ｖｔｈよりも小さい時間がＴｙ以上続いた場合、ユーザ状態を“静止”に変更する（ステップＳ４，Ｓ５）。これによって、ユーザ状態を動作状態と静止状態とに分けることができる。
【００５３】
図１３は、実施の形態４に係る映像表示装置にて検出した動き量Ｖの変化の例を示すタイムチャート図である。図１３の例では、時刻Ｔ０から観測を始めて、動き量Ｖが最初に閾値Ｖｔｈを上回ったのは時刻Ｔ１であるが、更に時間Ｔｘが経過した時刻Ｔ２でユーザが動き始めたと判断され（ステップＳ３）、時刻Ｔ２のタイミングで映像表示をＯＦＦにする。また、動き量Ｖが閾値Ｖｔｈを下回った時刻Ｔ３から時間Ｔｙが経過した時刻Ｔ４でユーザが静止したと判断され（ステップＳ５）、時刻Ｔ４のタイミングで映像表示をＯＮにする。
【００５４】
図１４は、実施の形態４に係る映像表示装置にて検出した動き量Ｖの変化の他の例を示すタイムチャート図である。図１４の例では、図１３の場合と同様に時刻Ｔ５の前に映像表示がＯＮとなるが、時刻Ｔ５から時刻Ｔ６までの時間Ｔｚでは、動き量Ｖが閾値Ｖｔｈを上回った時刻Ｔ５から十分な時間Ｔｘが未だ経過していないため、ユーザ状態の判定は変化せず、その結果として映像表示はＯＮのままである。
【００５５】
以上のとおり、映像表示制御部１３は、動き量Ｖが閾値Ｖｔｈよりも大きい場合に映像表示パネル１１に映像を表示しないように制御し、動き量Ｖが閾値Ｖｔｈよりも小さい場合に映像表示パネル１１に表示する映像内容を更新するように制御する。このようなフローを利用することで、ユーザの動作及び静止を自動的に判別し、ユーザ状態に応じた異なる表示をすることが可能となる。例えば、ユーザの静止時には様々な映像表示をするが、ユーザが腕を振って歩いており画面を見られない状態では映像表示を止める等の処理を行うこともでき、電池を長持ちさせる等の効果が期待できる。
【００５６】
（実施の形態５）
図１５は、実施の形態５に係る映像表示装置の全体構成を示すブロック図である。図１５において、図７と同じ構成要素については同じ符号を用い、説明を省略する。図１５の構成では、図７の構成にユーザ方向センサ１７と視野角設定器１８とが追加されている。
【００５７】
ユーザ方向センサ１７は、ユーザが存在する方向を検出するセンサである。カメラ等でユーザの顔を検出することでユーザ方向を検出してもよいし、映像表示装置のデザイン等より、予めユーザ方向を決めておいてもよい。また、ソフトウェア等によりユーザ自身が設定できるようにしておいてもよい。ユーザ方向センサ１７は、こうしたいずれかの方法で決定したユーザ方向の結果を映像表示制御部１３に渡す。
【００５８】
映像表示制御部１３では、曲げ具合センサ１２と鉛直方向センサ１６とユーザ方向センサ１７との結果を合わせて、映像表示パネル１１で表示する映像の表示位置と視野角とを決定する。映像表示制御部１３で決定された視野角の情報は視野角設定器１８に渡され、映像表示パネル１１の視野角の設定を行う。視野角の変更は光源の向きを制御したり、可変レンズを用いたりすることで実現できる。
【００５９】
図１６（ａ）、図１６（ｂ）及び図１６（ｃ）は、ユーザの視線が水平方向に向いている場合の図１５の映像表示装置の側面図であって、図１６（ａ）は断面が楕円形をなす映像表示パネル１１の平坦部が真上向きの場合を、図１６（ｂ）は同平坦部が斜め上向きの場合を、図１６（ｃ）は同平坦部が真横向きの場合をそれぞれ表している。
【００６０】
また、図１７（ａ）、図１７（ｂ）及び図１７（ｃ）は、ユーザの視線が斜め下向きである場合の図１５の映像表示装置の側面図であって、図１７（ａ）は断面が楕円形をなす映像表示パネル１１の平坦部が真上向きの場合を、図１７（ｂ）は同平坦部が斜め上向きの場合を、図１７（ｃ）は同平坦部が真横向きの場合をそれぞれ表している。
【００６１】
ここでは、ユーザ方向である水平方位と鉛直方向かつ上向きの方位との間に視野角αができるようにしている。図１６（ａ）〜図１６（ｃ）及び図１７（ａ）〜図１７（ｃ）を見ても分かるように、平坦かつ鉛直方向上向きの部分に映像表示した場合には、ある一定の範囲内に視野角αを設定すれば、映像表示装置を装着したユーザのみが見やすい映像表示装置が提供可能となる。
【００６２】
（他の実施の形態）
以上のように、本出願において開示する技術の例示として、実施の形態１〜５を説明した。しかしながら、本開示における技術は、これらに限定されず、適宜、変更、置き換え、付加、省略等を行った実施の形態にも適用可能である。また、上記実施の形態１〜５で説明した各構成要素を組み合わせて、新たな実施の形態とすることも可能である。
【００６３】
添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６４】
また、上述の実施の形態は、本開示における技術を例示するためのものであるから、特許請求の範囲又はその均等の範囲において種々の変更、置き換え、付加、省略等を行うことができる。
【産業上の利用可能性】
【００６５】
本開示に係る映像表示装置は、湾曲した部分に取り付けて使用する映像表示装置として有用である。また、身体に装着して使用する電子機器等の用途にも応用できる。
【符号の説明】
【００６６】
１１  映像表示パネル
１２  曲げ具合センサ
１３  映像表示制御部
１４  タッチセンサ
１５  センサ制御部
１６  鉛直方向センサ
１７  ユーザ方向センサ
１８  視野角設定器
２１  入力操作表示
【図１】
2015075688.tif 000003
【図２】
2015075688.tif 000004
【図３】
2015075688.tif 000005
【図４】
2015075688.tif 000006
【図５】
2015075688.tif 000007
【図６】
2015075688.tif 000008
【図７】
2015075688.tif 000009
【図８】
2015075688.tif 000010
【図９】
2015075688.tif 000011
【図１０】
2015075688.tif 000012
【図１１】
2015075688.tif 000013
【図１２】
2015075688.tif 000014
【図１３】
2015075688.tif 000015
【図１４】
2015075688.tif 000016
【図１５】
2015075688.tif 000017
【図１６】
2015075688.tif 000018
【図１７】
2015075688.tif 000019